【手続補正書】
【提出日】平成20年3月3日(2008.3.3)
【手続補正１】
【補正対象書類名】明細書
【補正対象項目名】特許請求の範囲
【補正方法】変更
【補正の内容】
【特許請求の範囲】
【請求項１】
トレーニング機器と、
前記トレーニング機器にネットワークを介して接続され、前記トレーニング機器で用いられる複数種類の運動プログラムを保持するサーバとを備え、
前記サーバは、利用者からの要求に応じて前記複数種類の運動プログラムの中から特定の運動プログラムを選択し、選択された運動プログラムを前記トレーニング機器に対して供給することを特徴とするトレーニング機器運用システム。
【請求項２】
利用者の個人情報を登録する登録装置をさらに備え、
前記サーバは、前記登録装置により登録された利用者の個人情報に応じて前記複数種類の運動プログラムの中から特定の運動プログラムを選択することを特徴とする請求項１記載のトレーニング機器運用システム。
【請求項３】
利用者の識別情報を保持する識別情報保持体から利用者の識別情報を読み取る読取装置をさらに備え、
前記サーバは、前記読取装置により読み取られた利用者の識別情報に基づいて、前記登録装置により登録された利用者の個人情報の中から特定の利用者の個人情報を抽出し、抽出された利用者の個人情報に応じて前記複数種類の運動プログラムの中から特定の運動プログラムを選択することを特徴とする請求項２記載のトレーニング機器運用システム。
【請求項４】
前記登録装置により登録された利用者の個人情報は前記サーバ上で管理されることを特徴とする請求項２または３記載のトレーニング機器運用システム。
【請求項５】
前記トレーニング機器の利用結果は利用者の個人情報として管理されることを特徴とする請求項２乃至４のいずれか記載のトレーニング機器運用システム。
【請求項６】
前記サーバは、前記トレーニング機器にインターネットを介して接続されていることを特徴とする請求項１乃至５のいずれか記載のトレーニング機器運用システム。
【請求項７】
前記識別情報保持体は、利用者の識別情報とともに課金用の料金情報を保持することを特徴とする請求項３記載のトレーニング機器運用システム。
【請求項８】
トレーニング機器を利用する利用者からの要求に応じて、サーバ内に保持された複数種類の運動プログラムの中から特定の運動プログラムを選択するステップと、
選択された運動プログラムを前記サーバから前記トレーニング機器に対してネットワークを介して供給するステップとを含むことを特徴とするトレーニング機器運用方法。
【請求項９】
利用者の個人情報を登録するステップをさらに含み、
前記選択するステップにおいて、登録された利用者の個人情報に応じて前記複数種類の運動プログラムの中から特定の運動プログラムを選択することを特徴とする請求項８記載のトレーニング機器運用方法。
【手続補正２】
【補正対象書類名】明細書
【補正対象項目名】００２４
【補正方法】変更
【補正の内容】
【００２４】
図４に示すように、健康増進施設１０内には、利用者５０の個人情報（年齢、性別、体力レベル、健康状態、運動履歴および運動目的等）を登録することにより会員登録を行う会員登録機器（登録装置）１９ａと、ＩＤタグ（識別情報保持体）５１に対して利用者５０のＩＤ（識別情報）を登録するＩＤ登録機器１９ｂと、ＩＤタグ５１から利用者５０のＩＤを読み取るＩＤ読取機器（読取装置）１９ｃと、ＩＤタグ５１に対して利用者５０の課金用の料金情報を登録する料金登録機器１９ｄと、ＩＤタグ５１に登録された課金用の料金情報を用いて精算処理を行う料金精算機１９ｅとが設置されている。ここで、会員登録機器１９ａ、ＩＤ登録機器１９ｂおよび料金登録機器１９ｄは、パーソナルコンピュータ１４に組み込まれており、パーソナルコンピュータ１４に設けられた各種のインタフェースを介してＩＤタグ５１に対してデータの書き込みおよび読み取りを行うことができるようになっている。また、ＩＤ読取機器１９ｃは、トレーニング機器１２のコントロールユニット４０内に組み込まれており、コントロールユニット４０の赤外線ポート４５等を介して、ＩＤタグ５１に対してデータの書き込みおよび読み取りを行うことができるようになっている。さらに、料金精算機１９ｅは、自動販売機１５内に組み込まれており、自動販売機１５に設けられた各種のインタフェースを介して、ＩＤタグ５１に対してデータの書き込みおよび読み取りを行うことができるようになっている。なお、ＩＤタグ５１は、健康増進施設１０内で利用者５０が身につけるロッカーキーや日常使用している時計や歩数計等に設けられている。
【手続補正３】
【補正対象書類名】明細書
【補正対象項目名】００３０
【補正方法】変更
【補正の内容】
【００３０】
その後、運営事業者施設３０内の顧客管理サーバ３１ｂから利用者５０のＩＤが発行され（ステップ１０３）、ＩＤ登録機器１９ｂにより、ＩＤタグ５１に対して利用者５０のＩＤが書き込まれる（ステップ１０４）。
【手続補正４】
【補正対象書類名】明細書
【補正対象項目名】００３７
【補正方法】変更
【補正の内容】
【００３７】
まず、利用者５０は、家庭２０内のトレーニング機器２１に対して、利用者５０の個人情報（年齢、性別、体力レベル、健康状態、運動履歴および運動目的等）およびＩＤを入力する（ステップ３０１）。これにより、利用者５０の個人情報がトレーニング機器２１に管理情報として蓄積される。なお、利用者５０の個人情報の入力は、運営事業者施設３０内の管理サーバ３１（顧客管理サーバ３１ｂ）および家庭２０内のトレーニング機器２１に既に蓄積されている場合には、省略することができる。
【手続補正５】
【補正対象書類名】明細書
【補正対象項目名】００３８
【補正方法】変更
【補正の内容】
【００３８】
その後、利用者５０によりトレーニング機器２１の利用が開始されると、トレーニング機器２１に蓄積された利用者５０の個人情報に応じて複数種類の運動プログラムの中から特定の運動プログラムが読み出される。これにより、利用者５０に対してその運動目的および体力レベル等に応じた最適な運動プログラムが個別的に提供され、利用者５０は、このようにして提供される運動プログラムに従って体力測定テストやトレーニングを行うことができる（ステップ３０２）。なお、家庭２０内のトレーニング機器２１に蓄積された運動プログラムは運営事業者施設３０内のプログラムサーバ３１ａに蓄積された運動プログラムを反映するように随時更新されており、家庭２０内のトレーニング機器２１には常に最新の運動プログラムが蓄積されている。
【手続補正６】
【補正対象書類名】明細書
【補正対象項目名】００４１
【補正方法】変更
【補正の内容】
【００４１】
まず、利用者５０は、健康増進施設１０内の料金登録機器１９ｄにより、物品の購入時や有料プログラム（サービス）の利用時に必要となる課金用の料金をあらかじめ預け入れる。同時に、利用者５０は、ＩＤタグ５１と料金登録機器１９ｄとを赤外線や電波等の非接触式のインタフェースを介して接続する。これにより、料金登録機器１９ｄにより、ＩＤタグ５１から利用者５０のＩＤが読み取られ（ステップ４０２）、施設内サーバ１３との間でＩＤの照会（および料金の書き込み）が行われる（ステップ４０３）。ＩＤの認証が行われた後（ステップ４０４）、ＩＤタグ５１に対して、預け入れられた課金用の料金の額が料金情報として書き込まれる（ステップ４０５）。
【手続補正７】
【補正対象書類名】明細書
【補正対象項目名】００４６
【補正方法】変更
【補正の内容】
【００４６】
さらに、本実施の形態によれば、運営事業者施設３０内の管理サーバ３１に利用者５０の個人情報を登録するようにしているので、健康増進施設１０および家庭２０において運動プログラムおよび利用者５０の個人情報を共有することができ、利用者５０ごとまたはトレーニング機器１２，２１ごとに利用者５０の個人情報を入力する必要がなくなり、健康増進施設１０と異なる他の健康増進施設や家庭２０において健康増進施設１０と同様の体力測定テストやトレーニングを行うことができる。また、運営事業者施設３０内の管理サーバ３１に利用者５０の個人情報（トレーニング機器１２，２１の利用結果を含む）を登録するようにしているので、利用者５０の健康増進活動の全貌を一元的に把握することができ、健康増進施設や医療機関等におけるトレーナや医師等による運動処方の参考データとしての有効活用が可能となる。さらに、家庭や職場等のインターネットに接続可能なパーソナルコンピュータ等にＩＤ読取機器を付加するようにすれば、トレーニング機器１２，２１の利用結果等のデータを何処からでも容易に照会することが可能となる。